(57)【要約】【課題】入り切り操作を行い易くしたスイッチ機構部、及びスイッチ機構部により整毛する際の作業効率の向上した整毛装置を提供する。【解決手段】スイッチ機構は、スライド自在の操作部材６１を有したスライドスイッチ７と、操作部材６１をスライド方向の一端にスライドさせた状態でこの操作部材６１をスライド方向に対して直交する向きに動作させるシーソー機構部とを備え、操作部材６１のスライド移動により通電と遮断とが切り替わる第１接点部と、シーソー機構部による操作部材６１の傾倒により通電する第２接点部とを有する。【選択図】図１
2013090727.tif 000002
【特許請求の範囲】
【請求項１】
スライド自在の操作部材を有したスライドスイッチと、前記操作部材をスライド方向の一端にスライドさせた状態でこの操作部材をスライド方向に対して直交する向きに動作させるシーソー機構部とを備え、
前記操作部材のスライド移動により通電と遮断とが切り替わる第１接点部と、前記シーソー機構部による前記操作部材の傾倒により通電する第２接点部とを有する
ことを特徴とするスイッチ機構。
【請求項２】
前記操作部材が、前記スライド方向にスライド自在のスライド片を有し、
前記スライド片に、前記シーソー機構部により傾倒する傾倒動作片を設け、
前記スライド片を前記一端の反対側にスライドさせた状態で前記傾倒動作片の傾動を規制する規制部材をさらに備える
ことを特徴とする請求項１に記載のスイッチ機構。
【請求項３】
把持部を有した本体と、加熱部を有した理容部と、前記理容部に回転駆動を出力する駆動部とを備え、
前記本体が、前記加熱部の加熱動作の入り切り操作と前記駆動部の回転動作の入り切り操作とを行う操作部を有し、
前記操作部が、請求項１又は２に記載のスイッチ機構を備え、
前記操作部材が、前記一端にスライドした状態で前記加熱動作又は前記回転動作の一方が入り操作となり、前記シーソー機構部による傾動で前記加熱動作又は前記回転動作の残りの一方が入り操作となるものである
ことを特徴とする整毛装置。
【請求項４】
前記加熱部が棒状であり、
前記駆動部が前記加熱部に回転駆動を出力して前記加熱部を軸周り回転させ、
前記操作部材が、前記一端にスライドした状態で前記加熱動作が入り操作となり、前記シーソー機構部による傾動で前記回転動作が入り操作となるものである
ことを特徴とする請求項３に記載の整毛装置。
【発明の詳細な説明】
【技術分野】
【０００１】
本発明は、スイッチ機構、及び該スイッチ機構を備えた整毛装置に関する。
【背景技術】
【０００２】
従来から、スイッチ機構を有した整毛装置として、例えば、特許文献１に示すようなヘアードライヤーがある。特許文献１に示すヘアードライヤーは、グリップの前面にスイッチノブが設けてあり、このスイッチノブをオフ位置から上向きにスライド操作することにより、第１から第３の各運転モードに切り換える構成になっている。第１運転モードではモーターのみを高速駆動して、常温の冷風を送給する。第２運転モードでは、モーターおよびヒーターユニットを同時に駆動するが、モーターは半速でさらにヒーターユニットは半分の熱出力で作動させて、比較的低温で低速の温風を送給する。第３運転モードでは、モーターを高速駆動し、さらにヒーターユニットを最大の熱出力で作動させて、高温で高速の温風を送給する。
【０００３】
また、整毛装置として、例えば、特許文献２，３に示すようなまつ毛用のまつげ成形具がある。特許文献２に示すまつげ成形具は、ハンドルを有した本体の先端側に、螺旋型のブラシと、ブラシの内側に並行に螺旋型に巻いた発熱体とが設けてある。特許文献３に示すまつげ成形具は、グリップを兼ねる本体ケースの一端に整形ヘッド有し、整形ヘッドにまつ毛を加熱するヒータが配置してある。そして、整形ヘッドの周面には、まつ毛を整形するための第１整形面と第２整形面とを対向配置して、両整形面のそれぞれにまつ毛を梳く櫛歯が設けてある。このまつ毛整形具では、まつ毛を櫛歯で梳き所望の形状に整え、且つこのまつ毛をヒータの熱で整えた形状に保持させて、整毛する。
【先行技術文献】
【特許文献】
【０００４】
【特許文献１】特開２０１１−０２４９３４号公報
【特許文献２】登録実用新案第３０４２７２３号公報
【特許文献３】特開２００９−２１９５７１号公報
【発明の概要】
【発明が解決しようとする課題】
【０００５】
ところで、特許文献１に示すものでは、一つのスイッチノブを所定のスライド位置に位置するようスライド操作することで、回転動作の入り切り操作と加熱動作の入り切り操作とを纏めて行っている。そのため、第１運転モードや第２運転モードに操作する際に、スイッチノブを操作範囲（スライド範囲）の途中で止める操作を行うことになり、第１運転モードや第２運転モード等への操作が行い難い。
【０００６】
また、特許文献２，３等の従来のまつ毛成形具は、まつ毛をブラシや整形ヘッドで梳くと共に、このまつ毛をヒータや発熱体の熱で加熱し、この状態でさらに、まつげ整形具を把持した手（手首）を動かしてまつげを屈曲させることで、整形するものである。
【０００７】
そのため、これら従来のまつ毛成形具は、手首を動かして所望の形状に整形する、すなわち使用者の技術や操作によって所望の形状に整形するものとなっており、整形時の作業効率があまり高くない。そして、整形ヘッドやブラシ（発熱体）の略同じ部位をまつ毛に接して整形するため、この部位の温度が低下し易く、まつ毛に供給された熱量が不足して、屈曲させた形状に保持し難くなる等で、まつ毛を整形し難くなる（形成力が低下する）恐れがある。
【０００８】
そこで、例えば、加熱部のまつ毛を接触させる部位を回転させて、同じ部位のみの接触を抑制して熱量不足を解消した場合、ヒータの加熱動作の入り切り操作用の操作部材と、ヒータの回転動作の入り切り操作用の操作部材とを各々設けることになる。そして、加熱動作と回転動作とを同時に用いる場合、両方の操作部材を各々入り操作することになる。そのため、一方の操作部材の入り操作後、指を残りの操作部材の位置に移動させてこの操作部材を入り操作したり、他方の手で残りの操作部材を入り操作したり、持ち方を変えて残りの操作部材を操作したりすることになり、操作し難く、作業効率を低下させ易い。更に、二つの操作部材を操作するため、加熱動作の入り操作を忘れて回転動作のみを入り操作した状態等の、誤った動作状態でまつ毛の整形を行ってしまい、正常にまつ毛の整形を行えず、作業効率を低下させる恐れがある。
【０００９】
そこで、この事情を鑑み、入り切り操作を行い易くしたスイッチ機構部、及びスイッチ機構部により整毛する際の作業効率の向上した整毛装置を提供することを課題とした。
【課題を解決するための手段】
【００１０】
上記課題を解決するために、本発明のスイッチ機構は、スライド自在の操作部材を有したスライドスイッチと、前記操作部材をスライド方向の一端にスライドさせた状態でこの操作部材をスライド方向に対して直交する向きに動作させるシーソー機構部とを備え、前記操作部材のスライド移動により通電と遮断とが切り替わる第１接点部と、前記シーソー機構部による前記操作部材の傾倒により通電する第２接点部とを有することを特徴とする。
【００１１】
このスイッチ機構として、前記操作部材が、前記スライド方向にスライド自在のスライド片を有し、前記スライド片に、前記シーソー機構部により傾倒する傾倒動作片を設け、前記スライド片を前記一端の反対側にスライドさせた状態で前記傾倒動作片の傾動を規制する規制部材をさらに備えることが好ましい。
【００１２】
そして、本発明の整毛装置は、把持部を有した本体と、加熱部を有した理容部と、前記理容部に回転駆動を出力する駆動部とを備え、前記本体が、前記加熱部の加熱動作の入り切り操作と前記駆動部の回転動作の入り切り操作とを行う操作部を有し、前記操作部が、前述に記載のスイッチ機構を備え、前記操作部材が、前記一端にスライドした状態で前記加熱動作又は前記回転動作の一方が入り操作となり、前記シーソー機構部による傾動で前記加熱動作又は前記回転動作の残りの一方が入り操作となるものであることを特徴とする。
【００１３】
この整毛装置として、前記加熱部が棒状であり、前記駆動部が前記加熱部に回転駆動を出力して前記加熱部を軸周り回転させ、前記操作部材が、前記一端にスライドした状態で前記加熱動作が入り操作となり、前記シーソー機構部による傾動で前記回転動作が入り操作となるものであることが好ましい。
【発明の効果】
【００１４】
このような構成としたことで、入り切り操作を行い易くすることができ、またスイッチ機構部により整毛する際の作業効率の向上し易くすることができる。
【図面の簡単な説明】
【００１５】
【図１】実施形態の整毛装置の斜視図である。
【図２】整毛装置の分解斜視図である。
【図３】理容部の斜視図である。
【図４】コームを外した状態の理容部周辺の斜視図である。
【図５】コームを外した状態の正面図である。
【図６】コームの平面図である。
【図７】操作部の一部を省略した説明図であり、（ａ）が斜視図であり、（ｂ）が正面図である。
【図８】操作部の操作を説明した斜視図であり、（ａ）が操作部材を第２端に位置した状態であり、（ｂ）が操作部材を第１端に位置した標準状態である。
【図９】操作部の操作を模式的に説明した平面図であり、（ａ）が操作部材を第２端に位置した図であり、（ｂ）が操作部材を第１端に位置した図である。
【図１０】シーソー機構部の一部を省略した説明図であり、（ａ）が斜視図であり、（ｂ）が正面図である。
【図１１】図８（ｂ）の標準状態から傾倒状態への操作を説明した斜視図であり、（ａ）が一方の端部を傾倒した傾倒状態であり、（ｂ）が図１１（ａ）の反対側の端部を傾倒した傾倒状態である。
【図１２】図１１（ｂ）の傾倒状態の正面図である。
【発明を実施するための形態】
【００１６】
以下、本発明の実施形態を、図面に基づいて例示して説明する。
【００１７】
＜実施形態１＞
本実施形態の整毛装置は、図１に示すように、電源を内蔵した本体１と、加熱部４及びコーム５を有した理容部１４と、理容部１４を回転させる駆動部３と、本体１に対して着脱自在で理容部１４を覆うキャップ１０（図２参照）とを備える。
【００１８】
本体１は、図１に示すように、円柱状で、操作部６（詳細は後述する）の操作部材６１が外殻に露出して設けてある。外殻は、電池１３を収納する電池カバー１２と、操作部６を設けたハウジング１１とで形成されており、ハウジング１１は円柱における一端に理容部１４が設けてあり、円柱の反対側の一端に電池カバー１２が着脱自在に設けてある。
【００１９】
そして、本体１には、図２に示すように、電源となる電池１３と、電池１３を加熱部４及び駆動部３と電気的に接続する回路部２と、駆動源としてモータ３１を備えた駆動部３とが収納される。電池カバー１２は内部に、電池１３の陰極を電気的に接続する陰極ばね１２ａと、陰極ばね１２ａをハウジング１１側に導出するための第１通電金具１２ｂとを備える。以下、円柱の軸方向Ａｘを、単に軸方向Ａｘと記載し、方向の一基準とし、軸方向Ａｘに視た形状を正面視における形状とする。
【００２０】
回路部２は、端子台２３と、回路基板２２と、端子金具と、導線（詳細は後述する）と、を有し、端子台２３及び回路基板２２はハウジング１１に固定してある。
【００２１】
端子金具として、陰極ばね１２ａ及び第１通電金具１２ｂを介して電池１３の陰極を電気的に接続させる陰極金具２１ａと、電池１３の陽極を電気的に接続させる陽極金具２１ｂとを有する。更に通電金具として、回路基板２２と電気的に接続された第２通電金具２１ｃと、第２通電金具２１ｃに陽極金具２１ｂを電気的に接続するスイッチ金具２１ｄとを有する。スイッチ金具２１ｄは操作部６の操作に応じて電気的な接続（通電）と遮断とを切り替える（詳細は後述する）。
【００２２】
回路基板２２は軸方向Ａｘにおいて長尺の矩形の板状となっている。そして、回路基板２２の一方の板面側に端子台２３が取り付けてあり、端子台２３は回路基板２２と略同形で重なる矩形状となっている。以下、図７に示すように、軸方向Ａｘに直交する向きを幅方向Ｘとし、軸方向Ａｘ及び幅方向Ｘに直交する向き（回路基板２２の板面に直交する向き）を厚さ方向Ｙとし、厚さ方向Ｙに視た形状を平面視における形状とする。
【００２３】
端子台２３は厚さ方向Ｙにおいて厚さを有し、幅方向Ｘにおける寸法の略中央が本体１の軸心上に位置する。そして、端子台２３は、図７や図１０に示すように、回路基板２２に対して背向した側に操作部６が設けてある。また、端子台２３には、陽極金具２１ｂと第２通電金具２１ｃとが短絡しない程度に間を離して取り付けてあり、陽極金具２１ｂはスイッチ金具２１ｄ及び第２通電金具２１ｃを介して回路基板２２と電気的に接続される。
【００２４】
導線は、回路基板２２を、陰極金具２１ａ、駆動部３、加熱部４に各々電気的に接続する。具体的には、本実施形態の整毛装置は、図２に示すように、陰極金具２１ａと回路基板２２とを繋ぐ電池用導線２５ａと、駆動部３と回路基板２２とを繋ぐ駆動用導線２５ｂと、加熱部４と回路基板２２とを繋ぐ加熱用導線２５ｃとを有する。
【００２５】
駆動部３は、駆動源となるモータ３１と、モータ３１の駆動を理容部１４に伝達する駆動伝達部３２とで主体が構成される。モータ３１は軸方向Ａｘに沿って且つ本体１と略同心で回転軸を備えており、駆動伝達部３２は、例えば、遊星減速機構となっている。そして、駆動伝達部３２はモータ３１の回転駆動を略同心で理容部１４に出力して、理容部１４の加熱部４を軸中心に回転させる。
【００２６】
理容部１４は、図３に示すように、まつ毛を加熱するための加熱部４と、まつ毛を梳くためのコーム５とを備え、本体１の一端から軸方向Ａｘに突出して設けてある。
【００２７】
加熱部４はヒータ線４１（図２参照）を内蔵しており、電池１３からヒータ線４１に給電してヒータ線４１を発熱させ、このヒータ線４１の発した熱で毛を加熱する。そして、加熱部４は、図４に示すように、本体１の一端から軸方向Ａｘに突出した棒状となっており、駆動部３の回転駆動によって、棒の軸心を中心として軸回りに回転する。更に、加熱部４は棒の周面（軸周りの外面）全体が、まつ毛を加熱するための接触面４１ａとなっており、接触面４１ａに接触したまつ毛を加熱する。
【００２８】
また、加熱部４は、図５に示すように、軸方向Ａｘに視て（正面視）多角形形状、具体的には、角（頂点）を丸めた多角形形状となっている。そして、本実施形態では、角（頂点）を丸めた略正三角形形状となっている。そのため、加熱部４は接触面４１ａに平面を有した形状となっている。
【００２９】
コーム５は、図６に示すように、櫛部５１を周面として備えた有底円筒状で、筒内に加熱部４が配置され、且つ底部で加熱部４の先端部を覆っており、開口側の端部が本体１に固定される。櫛部５１は、図６に示すように、加熱部４の回転中心を軸心とした螺旋形状で、加熱部４の接触面４１ａを覆う位置に設けてある。言い換えると、櫛部５１はコーム５の全周に亘って、円周方向（回転円）に対して軸方向Ａｘに傾斜し且つ軸方向Ａｘに交差して形成してある。
【００３０】
そして、櫛部５１の軸方向Ａｘにおける間の空間（隙間）は、加熱部４の接触面４１ａにまつ毛を導入するための導入溝５２となっており、コーム５は螺旋形状に導入溝５２を設けた構成となっている。
【００３１】
このように、円周方向の略全周に亘って接触面４１ａを有した加熱部４において、加熱部４を回転させたことで、毛（まつ毛）を接触させる加熱部４の接触面４１ａを回転に伴って変更することができる。そのため、加熱部４の同じ部位（接触面４１ａ）のみでの毛の加熱による毛への供給熱量の低下を抑制し易くなり、カール形状等に毛を整形し易く（整毛し易く）することができ、整毛する際の作業効率等の整毛装置の利便性を向上し易くすることができる。
【００３２】
更に、コーム５の櫛部５１を螺旋形状に設けたことで、加熱部４の接触面４１ａにおいて、櫛部５１の軸方向Ａｘにおける間（導入溝５２）から露出する部位が、円周方向においてずれて位置する構成となっている。そのため、櫛部５１を設けた領域において、全周のいずれかの位置に導入溝５２を有した構成となり、毛を導入溝５２に導入し易くして、毛を加熱部４に接触させ易く（毛を加熱し易く）することができ、整毛装置の利便性を向上し易くすることができる。そして、加熱部４を正面視多角形状とし、接触面４１ａに平面を有したことで、加熱部４が毛と面接触し易くなる。そのため、点接触し易い正面視円形状の加熱部４に比べて、接触時における毛との接触面積を大きくし易くすることができ、毛に熱を付与し易くすることができ、整毛する際の作業効率を向上し易くすることができる。
【００３３】
ところで、本実施形態の整毛装置は、上述の通り、加熱部４による加熱動作と、駆動部３による加熱部４の回転動作との二つの動作を行う構成となっている。そのため、操作部６は、加熱動作と回転動作の両方の入り切りを操作可能となっている。以下、操作部６の構成を具体的に説明する。なお、説明の便宜上、図７や図１０に示すように、端子台２３を基準に、厚さ方向Ｙにおいて、操作部６側を上方、回路基板２２（図中では省略した）側を下方とする。
【００３４】
操作部６は、操作部材６１（詳細は後述する）のスライド移動により通電と遮断とが切り替わる第１接点部（詳細は後述する）と、操作部材６１の傾倒により通電する第２接点部（詳細は後述する）とを有したスイッチ機構で主体が構成される。具体的には、図７乃至図１１に示すように、軸方向Ａｘにスライドして加熱部４の加熱動作の入り切り操作用のスライドスイッチ７と、軸方向Ａｘに対して交差する向きに動作して駆動部３の駆動動作の入り切り操作用のシーソースイッチ８とを備える。
【００３５】
スライドスイッチ７は、図２に示すように、スイッチ基台７１と、スライドハンドル７２とを有する。スイッチ基台７１は、図７に示すように、軸方向Ａｘに沿ってスライド自在でハウジング１１に支持されており、下方側にスイッチ金具２１ｄが取り付けてあり、上方側にスライドハンドル７２が取り付けてある。そのため、スイッチ基台７１はスイッチ金具２１ｄ及びスライドハンドル７２と一体にスライドしており、スライドスイッチ７のスライド方向は、図８に示すように、軸方向Ａｘとなっている。
【００３６】
そして、スイッチ基台７１はスライド動作によって、図８や図９に示すように、スライド方向（軸方向Ａｘ）の一端（第１端）と、スライド方向（軸方向Ａｘ）において第１端の反対側である他端（第２端）とに位置が切り替わる。スイッチ金具２１ｄは、スイッチ基台７１が第１端に位置した際に、陽極金具２１ｂと回路基板２２とを電気的に接続して、通電状態にし、第２端に位置した際に、陽極金具２１ｂ及び第２通電金具２１ｃとの電気的な接続を解いて、遮断状態にする。そして、通電状態になることで、加熱部４（ヒータ線４１）に給電がなされ、加熱部４の加熱動作が開始され、遮断状態になることで、加熱部４（ヒータ線４１）への給電が止まり、加熱動作が停止される。言い換えると、陽極金具２１ｂとスイッチ金具２１ｄと第２通電金具２１ｃとが、スイッチ基台７１のスライド移動により通電と遮断とが切り替わる第１接点部となっている。
【００３７】
スライドハンドル７２は、本体１と略同心の円弧形の板状（図２参照）となっている。そして、スライドハンドル７２は、図８に示すように、本体１の外殻に露出して設けてあり、使用者によって軸方向Ａｘに沿ってスライド操作されるスライド操作用のスライド片６１ａとなっている。そのため、スライドハンドル７２はスイッチ基台７１が第１端となる位置に操作されることで、加熱動作の入り操作となり、第２端となる位置に操作されることで、加熱動作の切り操作となる。
【００３８】
また、スライドハンドル７２は、軸方向Ａｘにおける寸法の略中央に、下方に凹んだ凹部７３（図２参照）を有し、該凹部７３にシーソースイッチ８が設けてある。シーソースイッチ８は、図２に示すように、飾りパネル８６と、飾りパネル８６を傾倒させるシーソー機構部とを有し、シーソー機構部は、シーソー部材８１と、一対のシーソーばね８４と、一対の突没スイッチ８５とを有する。そして、シーソースイッチ８は、図７に示すように、シーソー部材８１、飾りパネル８６、スイッチばね（図７中では省略した）が凹部７３に配置されており、これら構成部材がスライドハンドル７２と一体でスライドする。
【００３９】
シーソー部材８１は幅方向Ｘに長尺の矩形状（図１０参照）で、幅方向Ｘにおける寸法の略中央の部位でスライドハンドル７２に支持される。そして、シーソー部材８１はスライドハンドル７２に対して、軸方向Ａｘ（スライド方向）に対して直交する向き（厚さ方向Ｙ）に動作可能となっており、該動作において、上記スライドハンドル７２に支持された部位が支点となる。
【００４０】
そのため、シーソー部材８１は、図８や図９に示すように、スライドハンドル７２と一体にスライドし、且つ図１１や図１２に示すように、上記部位を支点としてスライドハンドル７２に対して傾動する（傾倒した姿勢をとる）。そして、シーソー部材８１はスライドハンドル７２の凹部７３の底部との間に、一対のシーソーばね８４が介在して設けてある。シーソーばね８４はシーソー部材８１の幅方向Ｘにおける両方の端部に各々一つずつ配置されており、シーソーばね８４はシーソー部材８１を各々上方側に付勢して、シーソー部材８１を傾倒していない略水平な姿勢に保持する。以下、上記略水平な姿勢の状態を標準状態とし、傾倒した状態を傾倒状態とする。
【００４１】
シーソー部材８１は、図１０に示すように、下方側の部位に、スライドハンドル７２より下方に突出した突部８２を有する。突部８２は、シーソー部材８１の幅方向Ｘにおける両方の端部に各々設けてある。突部８２は、スライドハンドル７２が第２端に位置すると、端子台２３の上面に所定の間隔を空けて厚さ方向Ｙにおいて重なって位置し、シーソー部材８１は突部８２が端子台２３に干渉するため動作が阻害される。
【００４２】
言い換えると、端子台２３は、スライドハンドル７２を第２端にスライドさせた状態においてシーソー部材８１の傾倒を規制する規制部材となっている。そのため、第２端に位置した状態では、シーソー部材８１は傾倒することができない構成となっている。
【００４３】
そして、第１端に位置すると、突部８２は、端子台２３に設けた貫通孔２４に各々厚さ方向Ｙにおいて重なって位置し、シーソー部材８１は突部８２を貫通孔２４に挿入することで傾倒可能となっている。
【００４４】
この貫通孔２４は厚さ方向Ｙに沿って貫通して端子台２３に設けてあり、幅方向Ｘに二つ並ぶ。そして、貫通孔２４は上方側の開口の縁部のうち、第２端側の縁部に傾斜面２４ａを有しており、この傾斜面２４ａは貫通孔２４に向けて下向き傾斜となっている。そのため、突部８２を貫通孔２４に挿入した状態でスライドハンドル７２を第２端側にスライド移動させると、挿入した突部８２が傾斜面２４ａに接触して上方へ動くようガイドされる。そして、突部８２が傾斜面２４ａにガイドされて上方に動くことで、シーソー部材８１はシーソーばね８４の付勢力によって標準状態に戻る。
【００４５】
また、貫通孔２４には各々突没スイッチ８５が配置されており、突没スイッチ８５は、図２に示すように、回路基板２２に取り付けてある。突没スイッチ８５は、シーソー部材８１の傾倒時に、下方側に移動した突部８２によって回路基板２２側に没入される。そして、突没スイッチ８５は、没入することで、回路基板２２と駆動部３（駆動用導線２５ｂ）とを電気的に接続して、回路部２から駆動部３へ給電させて、駆動部３を駆動させる。言い換えると、突没スイッチ８５は、シーソー部材８１の傾倒により通電する第２の接点部となっている。
【００４６】
更に、突没スイッチ８５は、二つのうちいずれが没入されるかによって、回路部２からモータ３１へ供給される電力の極性が入れ替わり、モータ３１は没入された突没スイッチ８５に応じて回転方向の正逆が切り替わる。
【００４７】
また、シーソー部材８１は、図１０に示すように、幅方向Ｘにおける寸法の略中央に、下方に突出した係止部８３をさらに備える。係止部８３はシーソー部材８１の傾倒時にスイッチ基台７１に引っ掛かり、シーソーばね８４の付勢力に抗して傾倒した姿勢に保持する。そして、係止部８３は、傾倒状態のシーソー部材８１の傾倒により上方に動いた側の端部を下方に動作させる、或いは貫通孔２４内の突部８２を傾斜面２４ａに接触させることで、係止を解く構成となっている。
【００４８】
更に、シーソー部材８１は上方側に飾りパネル８６が固定されており、飾りパネル８６はシーソー部材８１の外面を覆い、図８に示すように、本体１外殻に露出している。具体的には、飾りパネル８６は幅方向Ｘに長尺の矩形状で、図７や図８に示すように、凹部７３の上方を覆う円弧形状の上面を有し、該上面はスライドハンドル７２の上面（外面）より上方に突出して位置する。そして、飾りパネル８６は、図１２や図１１に示すように、幅方向Ｘの一方の端部を下方に押し操作することで、シーソー部材８１を伴って傾倒する構成となっている。
【００４９】
そのため、飾りパネル８６は、シーソー機構部によって動作する傾倒用の傾倒動作片６１ｂとなっている。この傾倒用の傾倒動作片６１ｂ（飾りパネル８６）は、図１１に示すように、飾りパネル８６の幅方向Ｘの一方の端部を押し操作して傾倒状態にすることで、駆動動作の入り操作となり、電池１３からモータ３１へ給電させる。そして、傾倒動作片６１ｂ（飾りパネル８６）は、傾倒状態（例えば、図１２参照）において、傾倒に伴って上方に動いた幅方向Ｘの反対側の端部（押し操作されていない側の端部）を押し操作することで、標準状態に戻り、駆動動作の切り操作となる。
【００５０】
更に、傾倒動作片６１ｂは、幅方向Ｘのいずれの端部を押し操作するかによって、駆動動作の入り操作の際に、モータ３１を正転と逆転のいずれの回転方向で回転させるかを選択可能となっている。
【００５１】
このように、本実施形態では、操作部材６１が、本体１に対してスライド自在のスライドハンドル７２を有し、且つこのスライドハンドル７２に、シーソー機構部によりスライドハンドル７２に対して傾倒する飾りパネル８６を設けた構成となっている。
【００５２】
そして、操作部材６１は本体１に対して軸方向Ａｘにスライド自在に操作可能となっており、このスライド動作（スライド操作）によって加熱部４は加熱動作の入り切りがなされる。更に、操作部材６１は、加熱動作の入り操作となる所定のスライド位置（本実施形態では第１端）において、本体１に対して厚さ方向Ｙに傾動自在（傾倒動作自在）に操作可能となっている。そして、この傾動により、駆動部３は駆動動作（回転動作）の入り切りがなされると共に、入りの際には駆動における回転方向の正逆の選択がなされる。
【００５３】
すなわち、本実施形態の整毛装置は、加熱動作の入り操作を行った状態で、駆動部３（加熱部４）の回転動作の入り操作が可能となっている。言い換えると、加熱動作の入り操作は整毛装置の起動操作を兼ねており、さらに回転動作の入り操作の規制を解除する解除操作を兼ねている。
【００５４】
そのため、加熱動作の入り操作忘れを抑制し易くなり、加熱動作の入り操作を忘れて回転動作のみを入り操作した状態等の、毛を加熱できない誤った動作状態での整毛装置の使用を抑制し易くすることができ、整毛する際の作業効率を向上し易くすることができる。そして、加熱動作の入り操作が起動操作を兼ねたことで、加熱動作のみを入り操作した回転動作を行わない状態でも使用可能となり、使用者の好みや技術、毛の生え方等の個体差に応じて、回転動作の有無を選択して使用することができる。
【００５５】
更に、加熱部４（駆動部３）の回転方向を正逆切替自在としたことで、例えば、通常顔に左右一対で存在するまつ毛に対して、右側と左側とで回転方向を切り替えて使用することで、対をなすまつ毛を左右対象の形状に整形し易くすることができる。このように、回転方向を選択可能としたことで、まつ毛を整形し易く（整毛し易く）なり、整毛装置の利便性を向上し易くすることができる。
【００５６】
また、加熱動作操作用のスライドハンドル７２に回転動作操作用の飾りパネル８６を配置したことで、加熱動作を操作した指で略位置を変えずに回転動作を操作することができる。そのため、操作部６を操作し易くすることができ、整毛装置の利便性を向上し易くすることができる。
【００５７】
更に、貫通孔２４の第２端側の縁部を傾斜面２４ａを設けたことで、回転動作の入り操作状態の際に、加熱動作の切り操作を行うことで、回転動作と加熱動作の両方の切り操作を行うことができる。そのため、一つの操作（第２端へのスライド操作）で二つの動作の切り操作を行うことができ、また回転動作の切り忘れを生じ難くすることができ、整毛装置の利便性を向上し易くすることができる。更に、シーソーばね８４を設けたことで、突部８２と傾斜面２４ａとの接触時に、傾倒動作片６１ｂを標準状態に戻り易くすることができる。
【００５８】
なお、本発明は各実施形態の構成のみに限定されるものではなく、本発明の意図する範囲内であれば、各実施形態において適宜の設計変更を行うことや、各実施形態の構成を適宜組み合わせて適用することが可能である。例えば、スライドハンドル７２を本体１に対してスライド自在で且つスライド方向に直交する向きで本体１に対して傾動自在に設け、スライドハンドル７２が傾倒用の傾倒動作片６１ｂを兼ねたもの等であってもよい。また、加熱部４及びコーム５の両方が回転するものであってもよい。
【００５９】
また、整毛装置は、まつ毛カーラに限らず、例えば、送風時に回転動作のみの入り操作による冷風と加熱動作の入り操作及び回転動作の入り操作による温風とを切替自在で備えたヘアードライヤー等であってもよい。このものでは、理容部が、駆動部の回転駆動により風を発生させるファンと、ファンの風に熱を付与する加熱部とを有し、熱を付与した風を髪等の毛に当てることで、毛を加熱して所望の形状に整毛可能にする。
【符号の説明】
【００６０】
１  本体
１４  理容部
３  駆動部
４  加熱部
６  操作部
６１  操作部材
７  スライドスイッチ
【図１】
2013090727.tif 000003
【図２】
2013090727.tif 000004
【図３】
2013090727.tif 000005
【図４】
2013090727.tif 000006
【図５】
2013090727.tif 000007
【図６】
2013090727.tif 000008
【図７】
2013090727.tif 000009
【図８】
2013090727.tif 000010
【図９】
2013090727.tif 000011
【図１０】
2013090727.tif 000012
【図１１】
2013090727.tif 000013
【図１２】
2013090727.tif 000014